(57)【要約】【課題】ペットが使用し易く、取扱い性及び使い勝手に優れるだけでなく、癒し効果を有し、インテリアとしても使用できるペット用食器台及び食器を提供する。【解決手段】本発明によるペット用食器台１は、ペット用の餌又は水の収納容器５を載置するための凹部４が片面に形成された天然石製の受け台２と、該受け台を支持するための基台３とを有し、前記基台の表面にタイル貼り６が施されている。そのような構成を有するペット用食器台１と、ペット用の餌又は水の収納容器５とを備え、ペット用食器台１の凹部４に収納容器５を載置して使用することにより本発明のペット用食器が得られる。【選択図】図１
0003203190.tif 000002
【実用新案登録請求の範囲】
【請求項１】
ペット用の餌又は水の収納容器を載置するための凹部が片面に形成された天然石製の受け台と、該受け台を支持するための基台とを有し、
前記基台の表面にタイル貼りが施されていることを特徴とするペット用食器台。
【請求項２】
前記受け台は、前記ペット用の餌又は水の収納容器を載置するための凹部を片面に２箇所以上有することを特徴とする請求項１に記載のペット用食器台。
【請求項３】
前記受け台の片面には、開口部の径の異なる凹部が少なくとも２箇所に形成されていることを特徴とする請求項２に記載のペット用食器台。
【請求項４】
前記ペット用の餌又は水の収納容器を載置するための凹部は、断面径が異なる開口部を深さ方向に２以上有することを特徴とする請求項１〜３のいずれか一項に記載のペット用食器台
【請求項５】
請求項１〜４のいずれか一項に記載のペット用食器台と、ペット用の餌又は水の収納容器とからなり、前記ペット用食器台の凹部に前記収納容器を載置して同時に使用することを特徴とするペット用食器。
【考案の詳細な説明】
【技術分野】
【０００１】
本考案は、犬や猫等のペットが楽な姿勢で餌や水の摂取をできるだけでなく、取扱い性に優れ、かつ、癒し効果とインテリア性を有するペット用食器台及びペット用食器に関する。
【背景技術】
【０００２】
犬や猫等のペット用食器は、目的と機能に応じて様々な形状や構造が提案されている。例えば、特許文献１には、ペットが安定した姿勢で餌や水を摂取することができるように、柱状の基部と、表面側に餌や水を収納する凹部が形成された皿部とからなるペット用食器が開示されている。前記特許文献１に記載の基部は、高さがペットが前足を立てた状態で頭を下げずにその上端に接せられる程度の寸法で形成されるものである。
【０００３】
特許文献２には、ペットフード入り容器を中身を移し替えずにそのまま使用できるようにするため、前記ペット入り容器を受け入れる受入空間部が形成された保持台が提案されている。
【０００４】
また、特許文献３には、給餌あるいは給水中に移動し易くペットが食事しにくいこと、さらには傾斜あるいは転倒して周囲を汚すという課題を解決するとともに、使い勝手を向上させるために、浅鉢状の底部から側壁に跨る外周面に沿って指掛け用凹部を設けた陶器製ペット食器が提案されている。
【先行技術文献】
【特許文献】
【０００５】
【特許文献１】登録実用新案第３１２６６０３号公報
【特許文献２】特開２００３−１８９７９８号公報
【特許文献３】登録実用新案第３０５８０７０号公報
【考案の概要】
【考案が解決しようとする課題】
【０００６】
ペット用食器に対しては、上記のように、ペットが使用し易い構造であること、取扱い易いこと、及び使い勝手に優れること等の機能性の点だけでなく、近年は、ペットに癒し効果を与え、室内の床又は室外の地面に置いたときにインテリアとして使用できるような新たな付加価値を有するものが求められている。
【０００７】
しかしながら、前記特許文献１〜３に記載のペット用食器は、機能性の観点から提案されたものであり、ペットへの癒し効果及びインテリア性については何ら考慮されたものではない。また、機能性についても、ペットが使用し易い構造であること、取扱い性の向上及び使い勝手に優れることの全ての条件を備えておらず、ペット市場の拡大に伴う使用者の様々な要求に対して十分に応えることができなかった。
【０００８】
さらに、前記特許文献３に記載の陶器製ペット食器は、従来からペット食器用材質として使用されているプラスチック、アルミ、ステンレスとは異なり、傾斜あるいは転倒しにくいものの、ペットが使い易いように食器を高くする場合は、重量が重くなるため使い勝手が悪くなるという課題がある。
【０００９】
本考案は、上記した従来の問題点に鑑みてなされたものであって、ペットが使用し易く、取扱い性及び使い勝手に優れるだけでなく、癒し効果を有し、インテリアとしても使用できるペット用食器台及びペット用食器を提供することにある。
【課題を解決するための手段】
【００１０】
本考案は、ペットの癒し効果とインテリア性の付与のため、ペット用食器として従来は使用されることがなかった天然石を用い、該天然石と、それを支持するための受け台とを有するペット用食器台をペット用食器の一部として使用し、さらに、インテリア性向上のために前記受け台の表面に装飾性を付与することにより、上記の課題を解決できることを見出して本考案に到った。
【００１１】
すなわち、本考案は、ペット用の餌又は水の収納容器を載置するための凹部が片面に形成された天然石製の受け台と、該受け台を支持するための基台とを有し、前記基台の表面にタイル貼りが施されていることを特徴とするペット用食器台を提供する。
本考案においては、天然石とタイル貼りされた基台との構成により、ペット用食器に癒し効果及びインテリア性を付与できる。また、天然石製の受け台とタイル貼りされた基台は表面が平滑で硬いため、使用後の汚れ除去処理又は清掃が容易になり、取扱い性に優れる。さらに、基台の高さの調整により受け台の部分がペットの口に近づくようになるためペットの使用がし易くなる。天然石は、その重量によりペット食器の移動や転倒を抑制する効果を有するが、その一方で、ペット用食器台を高くする場合は受け台の使用により天然石の厚さを厚くする必要がなくなるため、天然石の使用に伴う重量増加を軽減することができる。
【００１２】
また、本考案のペット用食器台は、前記受け台が、前記ペット用の餌又は水の収納容器を載置するための凹部を片面に２箇所以上有することを特徴とする。
この考案により、複数のペットに対して同時に餌又は水を提供することが可能になる。また、餌と水を別々の収納容器に入れ、前記受け台の片面に設ける複数の凹部にそれぞれ載置することにより、同じペット食器台で餌と水を交互に提供することができる。例えば、凹部を３カ所以上設け、１箇所は水の収納容器は載置し、他の箇所には餌の収納容器を載置することにより、複数のペットに餌と水を同時に提供することが可能になる。
【００１３】
また、本考案のペット用食器台は、前記受け台の片面には、開口部の径の異なる凹部が少なくとも２箇所に形成されていることを特徴とする。
この考案により、餌又は水を収納する容器が異なる外径を有する場合でも一つのペット用食器台に同時に載置することができるため、使い勝手に優れる。
【００１４】
また、本考案のペット用食器台は、前記ペット用の餌又は水の収納容器を載置するための凹部が、断面径が異なる開口部を深さ方向に２以上有することを特徴とする。
この考案により、異なる径を有する餌又は水の収納容器を、ペット用食器台の片面に設けた一つの凹部に載置することができる。そのため、異なる外径を有する収納容器をそれぞれ分けて使用する場合であっても、ペット用食器を載置する凹部の形成箇所を１箇所又は必要最小限の数箇所と少なくできることから、ペット用食器台の小型化による省スーペース化を図ることができる。
【００１５】
さらに、本考案は、上記考案の何れか一つによるペット用食器台と、ペット用の餌又は水の収納容器とからなり、前記ペット用食器台の凹部に前記収納容器を載置して同時に使用することを特徴とするペット用食器を提供する。
本考案のペット用食器により、ペットが楽な姿勢で餌や水の摂取をできるだけでなく、ペットに対して癒し効果を与えることができる。
【考案の効果】
【００１６】
本考案のペット用食器は、犬や猫等のペットが楽な姿勢で餌や水の摂取をできるだけでなく取扱い性に優れ、かつ、ペットに癒し効果を与えるとともに、室内外を飾るインテリアとしても使用することができる。また、本考案のペット用食器は、ペットが使用しやすく、複数のペットが同時に利用することもできる。さらに、餌又は水の収納容器を複数で使用するときも利用しやすく、使い勝手に優れる。
【図面の簡単な説明】
【００１７】
【図１】（ａ）及び（ｂ）は、それぞれ収納容器を載置するための凹部を１箇所に有する本考案のペット用食器台を示す斜視図及び断面図である。
【図２】実際にペットが本考案のペット用の食器台と食器を用いて食事をしている状況を示す図である。
【図３】（ａ）及び（ｂ）は、それぞれ本考案によるペット用食器台の変形例を示す斜視図及び断面図である。
【図４】本考案によるペット用食器台の別の変形例を示す斜視図である。
【図５】（ａ）及び（ｂ）は、それぞれ収納容器を載置するための凹部を２箇所に有する本考案のペット用食器台を示す斜視図及び断面図である。
【図６】（ａ）及び（ｂ）は、それぞれ収納容器を載置するための凹部を２箇所に有する本考案のペット用食器台の変形例を示す斜視図及び断面図である。
【図７】（ａ）及び（ｂ）は、それぞれ断面径が異なる開口部が深さ方向に２つ形成されている凹部を有する本考案のペット用食器台を示す斜視図及び断面図である。
【図８】図７に示すペット用食器台を用いて、ペット用の餌又は水の収納容器を載置するときの状況を示す図である。
【考案を実施するための形態】
【００１８】
以下、本考案の好適な実施形態について図面を用いて詳細に説明する。ただし、本考案は以下の実施形態に限定されるものではない。
【００１９】
＜実施の形態１＞
図１は、収納容器を載置するための凹部を１箇所に有する本考案のペット用食器台を示す図である。１図において（ａ）及び（ｂ）は、それぞれ本考案のペット用食器台を示す斜視図及び（ａ）に示すＡ−Ａ位置の断面図である。図１には、ペット用の餌又は水を収納するための皿形状又はお碗形状の収納容器も合わせて示している。
【００２０】
図１に示すように、本実施の形態によるペット用食器台１は、基本的に天然石製の受け台２と受け台を支持するための基台３とを有する。天然石製の受け台２の片面には凹部４が設けられており、この凹部４はペット用の餌又は水の収納容器５を載置して保持するために形成されたものである。基台３は、木材、プラスチック、金属及び陶器の群から選ばれる少なくとも１種の材質を用いて、内実又は中空の形状で作製される。図１には、基台３の例として、底部が開口した中空構造を有する木材製のものを示している（図１の（ｂ）を参照）。さらに、基台３の外周表面にはタイル貼り６が施されている。
【００２１】
ペット用食器台１は、ペットに癒し効果を与え、インテリア性を付与するため、受け台２の材質として天然石を使用する。その一方で、ペット用食器台１の軽量化を図るため、基台３は天然石よりも軽い材質を用いて作製することが特徴である。また、基台３は、天然石を支持できる強度の確保及び軽量化の観点から構造の最適化を行い、強度を満たす場合には中空構造を採用してもよい。加えて、基台３は外周表面にタイル貼りを行い装飾性を施すことにより、ペット用食器台１をインテリアとして使用することができる。この効果の他にも、天然石製の受け台２とタイル貼りされた基台３は表面が平滑で硬いため、使用後の汚れ除去処理や清掃が容易になるため取扱い性に優れる。さらに、ブラシ等を用いて清掃を行っても表面に傷や欠け等が発生することが少なく、長く使用してもインテリア性を維持することができる。
【００２２】
ペット用食器台１の受け台２として使用する天然石としては、一般的に癒し効果を有する天然石と呼ばれているものを使用することができ、例えば、稲田石又は大谷石が挙げられる。それ以外に、赤御影、黒御影、錆御影、桜御影、白河石、札幌軟石、琉球石灰石、十和田石、ランタン石、大理石も使用することができる。天然石製の受け台２の片面に設ける凹部４は、相当する場所に研削及び研磨の何れかの方法、又はそれらの方法を組合わせることによって形成することができる。
【００２３】
ペット用食器台１は、天然石製の受け台２と基台３とを一体化したものが移動や持ち運びに便利であるため実用的である。天然石製の受け台２と基台３との一体化は、シリコーン樹脂系、アクリル樹脂系又はエポキシ樹脂系の接着剤を用いて両者を貼り合せした後、室温で又は加温して接着することにより行うことができる。それ以外にも、天然石製の受け台２及び基台３のどちらか一方を他方に挿入した後、爪止めや接着剤によって両者を一体化する方法を採用してもよい。また、本実施の形態は前記の一体化の構造には限定されず、別体の形で使用時に両者を重ね合せて使用してもよい。重ね合せ後の両者の位置ずれは、基台３の上に天然石製の受け台２を積重ねた後、両者を粘着剤等で固定することによって抑えることができる。
【００２４】
図２に、実際にペットが本考案のペット用食器台と食器を用いて食事をしている状況を示す。図２に示すように、ペット用食器台１に備わる天然石製の受け台２は、基台３の存在によりペットの口に近づくようになるため、ペットが利用しやすくなる。基台３の高さは、ペットの種類や大きさに応じて変わるが、その場合は基台３の高さを調製したペット用食器台１を作製することにより容易に対応することができる。仮に、基台３を受け台２と同じ天然石で作製したり、天然石製の受け台そのものの高さを高くする場合はペット用食器台が重くなるため、取扱い性及び使い勝手が非常に劣る。本実施の形態によるペット用食器台１は、天然石の重量によりペット用食器の移動や転倒を抑制するという効果を得ながら、一方で、天然石よりも軽い素材で作製した基台３を備えることにより、天然石を多量に使用することに伴う重量増加を軽減することができる。
【００２５】
ペット用食器台１に備わる基台３は、主な効果としてインテリア性を高めるため外周表面にタイル貼り６を行っているが、タイル貼り６はそれ以外の効果も得ることができる。その効果を、図３に示すペット用食器台の変形例を用いて説明する。
【００２６】
図３の（ａ）及び（ｂ）は、本考案によるペット用食器台の変形例において、それぞれその斜視図及び（ａ）に示すＢ−Ｂ位置の断面図である。図３に示すペット用食器台７は、図１に示すペット用食器１と同じように、天然石製の受け台８と基台９から構成され、天然石製の受け台８の片面には凹部１０が形成され、基台９の外周表面にはタイル貼り１１が施されている。しかし、図１に示すペット用食器１とは、木材製の基台９が底部を有する中空構造であり、基台９の高さが基台３より低くなっている点で異なる。
【００２７】
図３に示すように、基台９が低くなったのに伴い、基台９の外周表面に施されたタイル貼り１１の積重ね段数が図１に示すタイル貼り６よりも１段少なく、３段となっていることが分かる。このように、本考案のペット用食器台は、基台３の高さに応じてタイル貼りの積重ね段数を調製するだけで、容易にタイル貼りの作業を行うことができる。仮に、基台９の外周表面を装飾するため塗装や印刷物の貼付け等の方法を採用する場合は、装飾図案を最初から作り直す必要が生じるだけでなく、塗装又は貼付け作業が煩雑になることがある。したがって、基台９の周辺表面に装飾性を付与するために施すタイル貼り１１は、顧客からの高さや図案の仕様変更に対して迅速な対応ができるだけでなく、製造コストの上昇を抑えることができるため好都合である。
【００２８】
図１及び図３に示す天然石製受け台２、８及び凹部４、１０は、開口部形状がいずれも円形であるが、本実施の形態においてはこの形状に限定されるものではない。また、天然石製受け台２と基台３、又は天然石製受け台８と凹部９をそれぞれ一体化した構造についても、一体化する部分において両者の断面積が全く同じである必要はない。そこで、図１及び図３に示すものとは異なる形状と構造を有するペット用食器台の変形例を図４に斜視図で示す。
【００２９】
図４の（ａ）〜（ｄ）に示す各ペット用食器台は、図１及び図３に示すものとは次の点で構成及び構造が異なる。すなわち、図４の（ａ）に示すペット用食器台１２は、天然石製の受け台１３の片面に形成された凹部１５が矩形状のものである。図４の（ｂ）に示すペット用食器台１６は、天然石製の受け台１７及び基台１８の形状が円形である。図４の（ｃ）に示すペット用食器台２０は、高さ方向において天然石製の受け台２１の断面積が基台２２のそれよりも大きくなっている。また、図４の（ｄ）に示すペット用食器台２４は、天然石製の受け台２５が円形状で、高さ方向の断面積が基台２６のそれよりもやや大きくなっている。なお、図４の（ｂ）、（ｃ）及び（ｄ）に示す凹部１９、２３、２７は、開口部が図１及び図３に示す凹部４、１０と同じ円形状である。
【００３０】
図４の（ａ）〜（ｄ）に示すペット用食器台１２、１６、２０及び２４は、本実施の形態によるペット用食器台の変形例の一部であり、使用するペット用食器の形状及びペットの種類や大きさに応じて、天然石製の受け台並びに基台の断面形状及び受け台の片面に設ける凹部の開口部形状を、円形、楕円形、矩形及び多角形の何れかの形状に設定することができる。また、図４の（ｃ）及び（ｄ）に示すように、天然石製の受け台２１、２５の周辺を基台２２、２６の外縁より外側に張り出した構造とすることにより、その張り出した部分を手や指で把持することができるようになる。それにより、ペット用食器台２０、２４を移動したり運搬したりするときの作業が容易になり、使い勝手に優れたペット用食器台を提供することができる。
【００３１】
＜第２の実施形態＞
図５は、ペット用の餌又は水の収納容器を載置するための凹部を２箇所に有する本考案のペット用食器台を示す図である。図５において、（ａ）及び（ｂ）は、それぞれ斜視図及び（ａ）に示すＣ−Ｃ位置の断面図である。
【００３２】
図５に示すように、本実施の形態によるペット用食器台２８は、基本的に天然石製の受け台２９と受け台を支持するための基台３０とを有する。天然石製の受け台２９の片面には、ペット用の餌又は水の収納容器（不図示）を載置して保持するために凹部３１が２箇所に設けられている。基台３０は、例として、底部が開口した中空構造を有し、多品種少量生産に適する木材製のものを示している（図５の（ｂ）を参照）。さらに、基台３０の外周表面にはタイル貼り３２が施されている。
【００３３】
図５に示すペット用食器台２８は、天然石製の受け台２９の片面に凹部３１が２箇所で設けられているため、複数のペットに対して同時に餌又は水を提供することが可能になる。また、餌と水を別々の収納容器に入れ、前記受け台の片面に設ける２箇所の凹部３１にそれぞれ載置することにより、同じペット食器台で餌と水を交互に提供することができる。図５には、凹部３１が２つ設けられた例を示しているが、本実施の形態においては、凹部を設ける箇所は３つ以上であってもよい。例えば、凹部を３カ所以上設け、１箇所は水の収納容器は載置し、他の箇所には餌の収納容器を載置することにより、複数のペットに餌と水を同時に提供することが可能になる。
【００３４】
図６は、収納容器を載置するための凹部を２箇所に有する本考案のペット用食器台の変形例を示す図である。図６において、（ａ）及び（ｂ）は、それぞれ斜視図及び（ａ）に示すＤ−Ｄ位置の断面図である。図６に示すペット用食器台３３は、天然石製の受け台３４の片面の２箇所に設けられている凹部３６Ａ、３６Ｂにおいて開口部の径がそれぞれ異なる点を除けば、図５に示すペット用食器台２８と基本的に同じ構成と構造を有する。
【００３５】
図６に示すように、ペット用食器台３３は、基本的に天然石製の受け台３４と受け台を支持するための基台３５とを有する。天然石製の受け台３４の片面には、ペット用の餌又は水の収納容器（不図示）を載置して保持するため凹部３６Ａ、３６Ｂが２箇所で設けられており、２箇所の凹部３６Ａ、３６ＢはそれぞれＬとＭの異なる開口部径で形成されている。また、基台３５としては、底部が開口している中空形状を有し、木材で作製された例を示している（図６の（ｂ）を参照）。さらに、基台３５の外周表面には、ひし形の形状を積重ねた装飾図案を有するタイル貼り３７が施されている。このように、本考案においては、タイル貼りの装飾図案が格子状のものに限定されず、ひし形やハート形等の形状を含め、通常のタイル貼りで一般的に用いられる図案を使用することができる。
【００３６】
図６に示すように、ペット用食器台３３は、餌又は水の収納容器が異なる径を有する場合でも同じ天然石製の受け台３４の上に同時に載置することができる。餌又は水の収納容器は、ペットの種類、大きさ、餌付けする時機（例えば、朝、昼、夕）、及び健康状態の違いに応じて、大きさ又は外径が異なる場合がある。したがって、ペット用食器台３３を使用することにより、外径が異なる収納容器を少なくとも２つを同時に載置することができる。例えば、量が異なる餌をそれぞれ異なる外径を有する複数の収納容器に入れて使用する場合、又は餌及び水をそれぞれ異なる外径を有する別々の収納容器に入れて使用する場合において、一台のペット用食器台３３で対応することが可能になる。
【００３７】
＜第３の実施形態＞
図７は、断面径が異なる開口部が深さ方向に２つ形成されている凹部を有する本考案のペット用食器台を示す図である。図７において、（ａ）及び（ｂ）は、それぞれ斜視図及び（ａ）に示すＥ−Ｅ位置の断面図である。
【００３８】
図７に示すように、本実施の形態によるペット用食器台３８は、基本的に天然石製の受け台３９と受け台を支持するための基台４０とを有する。天然石製の受け台３９の片面には、深さ方向に断面径が異なる開口部が２つ形成されている凹部４１が設けられており、この凹部４１はペット用の餌又は水の収納容器（不図示）を載置して保持するために形成されるものである。基台４０としては、底部が開口している中空構造を有し、木材で作製された例を示している（図７の（ｂ）を参照）。さらに、基台４０の外周表面には、矩形形状を積重ねた格子状の装飾図案を有するタイル貼り４２が施されている。
【００３９】
図８は、図７に示すペット用食器台を用いて、ペット用の餌又は水の収納容器を載置するときの状況を示す図である。図８において、（ａ）と（ｃ）は斜視図であり、（ｂ）と（ｄ）はそれぞれ（ａ）のＦ−Ｆ位置及び（ｃ）のＧ−Ｇ位置の断面図である。図８には、ペット用の餌又は水の収納容器として、径の異なる皿形状又はお碗形状を有する収納容器４３及び４４の斜視図及び断面図も合わせて示している。
【００４０】
図８に示すように、深さ方向に断面径が異なる開口部が２つ形成されているペット用食器台３８は、異なる外径を有する餌又は水の収納容器４３、４４を、ペット用食器台の片面に設けた一つの凹部にそれぞれ分けて載置することができる。図８に示すペット用食器台３８は、深さ方向に断面径が異なる開口部を形成する数として２つの例を示しているが、本実施の形態においては、天然石製の受け台３９の厚さに制約がない限り、３つ以上で形成してもよい。このように、本実施の形態によるペット用食器台３８は、異なる外径を有する収納容器４３、４４をそれぞれ分けて使用する場合であっても、ペット用食器を載置する凹部の形成箇所を１箇所にすることができるため、ペット用食器台の設置スペースを小さくすることができる。また、深さ方向に断面径が異なる開口部を形成する数が３つ以上の場合は、ペット用食器を載置する凹部の形成箇所を１箇所又は最小限の数箇所に限定することにより、ペット用食器台の小型化を図ることができる。
【００４１】
上記実施の形態１〜３で得られるペット用食器台は、該ペット用食器台の凹部に、ペット用の餌又は水の収納容器を載置して同時に使用することにより、ペット用食器として使用する。本考案のペット用食器は、ペットが楽な姿勢で餌や水の摂取をできるだけでなく、ペットに対して癒し効果を与えることができる。
【００４２】
以上のように、本考案のペット用食器は、犬や猫等のペットが楽な姿勢で餌や水の摂取をできるだけでなく、取扱い性に優れ、かつ、ペットに癒し効果を与えるだけでなく、室内外を飾るインテリアとしても使用することができる。また、本考案のペット用食器は、ペットが使用しやすく、複数のペットが同時に利用することもできる。さらに、餌又は水の収納容器を複数で使用するときも利用しやすく使い勝手に優れるため、その有用性は極めて高い。
【符号の説明】
【００４３】
１，７，１２，１６，２０，２４，２８，３３，３８・・・ペット用食器台
２，８，１３，１７，２１，２５，２９，３４，３９・・・天然石製の受け台
３，９，１４，１８，２２，２６，３０，３５，４０・・・基台
４，１０，１５，１９，２３，２７，３１，３６，４１・・・凹部
５，４３，４４・・・ペットの餌又は水の収納容器
６，１１，３２，３７，４２・・・タイル貼り
【図１】
0003203190.tif 000003
【図２】
0003203190.tif 000004
【図３】
0003203190.tif 000005
【図４】
0003203190.tif 000006
【図５】
0003203190.tif 000007
【図６】
0003203190.tif 000008
【図７】
0003203190.tif 000009
【図８】
0003203190.tif 000010